(57)【要約】【課題】重水を用いる原子力発電プラントの化学除染において、重水への軽水の混入を低減する。【解決手段】重水を用いる原子力発電プラントにおける化学除染方法であって、その際に用いる薬剤が、通常の化学構造としては水素原子を含む物質である場合に、薬剤の代わりに、薬剤に含まれる水素原子のうち少なくとも一部を重水素原子に置き換えた重水素系薬剤を用いる。その際に用いるイオン交換樹脂についても、イオン交換樹脂に含まれる交換可能なイオン種として重水素イオン又は重水酸化物イオンを用いる。【選択図】図１
2019002825.tif 000002
【特許請求の範囲】
【請求項１】
重水を用いる原子力発電プラントにおける化学除染をする際に用いる薬剤が、通常の化学構造としては水素原子を含む物質である場合に、前記薬剤の代わりに、前記薬剤に含まれる水素原子のうち少なくとも一部を重水素原子に置き換えた重水素系薬剤を用いる、化学除染方法。
【請求項２】
請求項１記載の化学除染方法であって、
前記薬剤は、過マンガン酸、シュウ酸、ヒドラジン及び過酸化水素のうち１種類以上である、化学除染方法。
【請求項３】
請求項２記載の化学除染方法であって、
前記重水素系薬剤は、重水に溶解した状態で用いる、化学除染方法。
【請求項４】
請求項１〜３のいずれか一項に記載の化学除染方法であって、
前記重水素系薬剤は、前記原子力発電プラントで用いている前記重水を用いて製造する、化学除染方法。
【請求項５】
請求項４記載の化学除染方法であって、
前記重水素系薬剤は、前記原子力発電プラント内で製造する、化学除染方法。
【請求項６】
重水を用いる原子力発電プラントにおける化学除染をする際にイオン交換樹脂を用いる工程を含む方法であって、
前記イオン交換樹脂に含まれる交換可能なイオン種は、重水素イオン又は重水酸化物イオンである、化学除染方法。
【請求項７】
請求項６記載の化学除染方法であって、
前記重水素イオン又は前記重水酸化物イオンを含む前記イオン交換樹脂である重水素型イオン交換樹脂は、前記原子力発電プラントで用いている前記重水を用いて製造する、化学除染方法。
【請求項８】
請求項７記載の化学除染方法であって、
前記重水素型イオン交換樹脂は、前記原子力発電プラント内で製造する、化学除染方法。
【請求項９】
請求項１記載の化学除染方法であって、
前記重水素系薬剤の一つは、重水素原子を含むシュウ酸である重水素系シュウ酸であり、
前記重水素系シュウ酸の重水水溶液は、二酸化硫黄、酸素及び重水を原料として、重水素原子を含む硫酸である重水素系硫酸の重水水溶液を製造し、前記重水素系硫酸の重水水溶液及び無水シュウ酸塩を原料として製造することにより得、化学除染に用いる、化学除染方法。
【請求項１０】
請求項６記載の化学除染方法であって、
前記重水素イオンを含む前記イオン交換樹脂である重水素型カチオン交換樹脂は、二酸化硫黄、酸素及び重水を原料として、重水素原子を含む硫酸である重水素系硫酸の重水水溶液を製造し、前記重水素系硫酸の重水水溶液をカチオン交換樹脂に通すことにより製造する、化学除染方法。
【請求項１１】
請求項１０記載の化学除染方法であって、
前記重水素型カチオン交換樹脂に過マンガン酸カリウムの重水水溶液を通すことにより、重水素原子を含む過マンガン酸である重水素系過マンガン酸の重水水溶液を製造し、前記重水素系過マンガン酸の重水水溶液を化学除染に用いる、化学除染方法。
【請求項１２】
請求項６記載の化学除染方法であって、
前記重水素イオンを含む前記イオン交換樹脂である重水素型カチオン交換樹脂は、化学除染装置の構成要素であるカチオン交換樹脂塔及び混床樹脂塔のうち少なくとも一つの材料として用いる、化学除染方法。
【請求項１３】
請求項６記載の化学除染方法であって、
前記重水酸化物イオンを含む前記イオン交換樹脂である重水素型アニオン交換樹脂は、酸化カルシウムを重水に溶解して、重水素原子を含む水酸化カルシウムである重水素系水酸化カルシウムの重水水溶液を製造し、前記重水素系水酸化カルシウムの重水水溶液に硫酸ナトリウムを溶解して、重水素原子を含む水酸化ナトリウムである重水素系水酸化ナトリウムの重水水溶液を製造し、前記重水素系水酸化ナトリウムの重水水溶液をアニオン交換樹脂に通すことにより製造する、化学除染方法。
【請求項１４】
請求項１３記載の化学除染方法であって、
前記重水素型アニオン交換樹脂は、化学除染装置の構成要素である混床樹脂塔の材料として用いる、化学除染方法。
【請求項１５】
請求項１記載の化学除染方法であって、
前記重水素系薬剤の一つは、重水素原子を含む過酸化水素である重水素系過酸化水素であり、
前記重水素系過酸化水素の重水水溶液は、ペルオキソ二硫酸塩を重水に溶解して、前記重水素系過酸化水素の重水水溶液を含む溶液を製造し、この溶液を蒸留することにより前記重水素系過酸化水素の重水水溶液を分離することにより得、化学除染に用いた還元剤を分解するための酸化剤として用いる、化学除染方法。
【請求項１６】
請求項５記載の化学除染方法であって、
さらに、前記化学除染をする際にイオン交換樹脂を用いる工程を含み、
前記イオン交換樹脂に含まれる交換可能なイオン種は、重水素イオンであり、
二酸化硫黄、酸素及び重水を原料として、重水素原子を含む硫酸である重水素系硫酸の重水水溶液を製造し、
前記重水素系硫酸の重水水溶液をカチオン交換樹脂に通すことにより、前記重水素イオンを含む前記イオン交換樹脂である重水素型カチオン交換樹脂を製造し、
前記重水素型カチオン交換樹脂に過マンガン酸カリウムの重水水溶液を通すことにより、重水素原子を含む過マンガン酸である重水素系過マンガン酸の重水水溶液を製造し、
前記重水素系硫酸の重水水溶液及び無水シュウ酸塩を原料として、重水素原子を含むシュウ酸である重水素系シュウ酸の重水水溶液を製造し、
前記重水素系過マンガン酸及び前記重水素系シュウ酸を用いて前記化学除染を行う、化学除染方法。
【請求項１７】
請求項１記載の化学除染方法であって、
酸化除染工程と、還元除染工程と、を含み、
前記還元除染工程で用いるｐＨ調整剤は、ヒドラジンであり、
前記ヒドラジンは、通常の化学構造として水素原子を含むものであって重水を抱水とするものであり、
前記ヒドラジンの水溶液をカチオン交換樹脂に通してヒドラジン飽和のカチオン交換樹脂を製造し、このヒドラジン飽和のカチオン交換樹脂に、重水素原子を含む硫酸である重水素系硫酸の重水水溶液を通して得られた流出液を蒸留することにより得られたヒドラジンの重水水溶液を前記ｐＨ調整剤として用いる、化学除染方法。
【発明の詳細な説明】
【技術分野】
【０００１】
本発明は、重水を用いる原子力発電プラントの構造部材の化学除染方法に関する。
【背景技術】
【０００２】
カナダ型重水炉「ＣＡＮＤＵ」（登録商標）（ＣＡＮａｄａ  Ｄｅｕｔｅｒｉｕｍ  Ｕｒａｎｉｕｍ）の原子炉本体は、横置圧力管型で、カランドリアと呼ばれる横置円筒シェル・チューブ構造の本体、多数の圧力管、反応度制御装置（制御棒等）等で構成される。
【０００３】
カランドリアを構成するカランドリアタンクの内部には、中性子減速材である重水が満たされており、カランドリアタンクの左右両管板をつないで水平に正方ピッチに配列されたカランドリア管の中に圧力管が収納され、この圧力管の中に燃料集合体が装荷されている。このカランドリア構造の採用により、中性子減速材と一次冷却材は完全に分離されている。カランドリア管及び圧力管の材料は、中性子吸収の少ない、それぞれジルカロイ−２及びジルコニウム・ニオブ合金が使用されている。カランドリア管と圧力管の間には、間隙を保持するためのスペーサが設けられ、熱絶縁のための炭酸ガスが充填されている。
【０００４】
燃料集合体からの発生熱を取り出す一次冷却材には重水を用い、この一次冷却材が流れる一次冷却系は、炉心の圧力管群を２群に分け、それぞれが独立の２ループとなっており、各ループは、蒸気発生器２基、一次冷却材ポンプ２基、及びこれらと圧力管群を結ぶ配管系により、圧力管内の一次冷却材の流れが隣接圧力管と互いに逆向きになるように接続されている。この方式の採用により、一次冷却系機器、配管の合理的配置ならびに重水装荷量の最小化が可能となり、同時に炉心の熱的バランスを適切なものとしている。
【０００５】
燃料集合体は、短尺燃料棒（長さ約５０ｃｍ）を多層同心円状に配列し、その両端がエンド・サポート・プレートに溶接された構造である。燃料棒は、天然ウラン酸化物ペレットを薄肉のジルカロイ−４被覆管に封入したものである。
【０００６】
一次冷却系の構成材料としては、炭素鋼及びステンレス鋼に加え、蒸気発生器ではニッケル器合金が使われている。再循環ポンプによって炉心に供給された一次冷却水は、炉心内に装荷された燃料集合体内の核燃料物質の核分裂で発生する熱によって加熱され、再循環ポンプの駆動によって蒸気発生器へと送水される。蒸気発生器では、加熱された一次冷却水によって蒸気発生器の二次側の冷却水が加熱され、一部が蒸気になる。この蒸気は、蒸気発生器からタービンに導かれ、タービンを回転させる。タービンから排出された蒸気は、復水器で凝縮され、水になる。この水は、給水として蒸気発生器の二次側の冷却水として供給される。一方、蒸気発生器で二次側の冷却水に熱を与えた一次冷却水は冷却され、再循環ポンプの駆動で炉心に供給されて再び加熱される。このように、一次冷却水は、再循環ポンプの駆動により炉心と蒸気発生器を循環する。
【０００７】
高温で循環する一次冷却水中には、構造材の腐食によって発生した腐食生成物が持ち込まれ、その一部が燃料集合体の表面に蓄積し、中性子の照射を受けて、原子核反応を起こし、コバルト６０、コバルト５８、クロム５１、マンガン５４等の放射性核種になる。これらの放射性核種は、大部分が酸化物の形態で燃料棒表面に付着したままである。
【０００８】
しかしながら、一部の放射性核種は、取り込まれている酸化物の溶解度に応じて炉水中にイオンとして溶出したり、クラッドと呼ばれる不溶性固体として炉水中に再放出されたりする。
【０００９】
炉水に含まれる放射性物質は、一次冷却系に連絡された原子炉水浄化系によって取り除かれる。原子炉水浄化系で除去されなかった放射性物質は、炉水とともに一次冷却系などを循環している間に、原子力プラントの構成部材（例えば、配管）の炉水と接触する表面に蓄積される。その結果、構成部材の表面から放射線が放射され、定検作業時の従事者の放射線被ばくの原因となる。
【００１０】
その従事者の被ばく線量は、各人毎に規定値を超えないように管理されている。近年、この規定値が引き下げられ、各人の被ばく線量を可能な限り低くする必要が生じている。
【００１１】
そこで、定検作業での被ばく線量が高いことが予想される場合は、配管に付着した放射性核種を溶解して除去する化学除染が実施される場合がある。
【００１２】
例えば、特許文献１には、ＥＤＴＡとクエン酸とを含む水溶液による放射性核種を含む酸化物を溶解と、溶解液のカチオン交換樹脂への通液による再生と、混床イオン交換樹脂による薬剤の浄化と、によるＣＡＮＤＵ（登録商標）炉等の化学除染方法が開示されている。
【００１３】
例えば、特許文献２には、シュウ酸及びヒドラジンを含む還元除染剤による還元溶解、この還元溶解に用いたシュウ酸及びヒドラジンの分解、及び過マンガン酸イオンによる酸化溶解を組み合わせた、原子力発電プラントの化学除染方法が開示されている。
【先行技術文献】
【特許文献】
【００１４】
【特許文献１】特表２０１３−５３８３３６号公報
【特許文献２】特開２０００−１０５２９５号公報
【発明の概要】
【発明が解決しようとする課題】
【００１５】
特許文献１では、酸化皮膜の溶解に使用したＥＤＴＡ及びクエン酸は、混床イオン交換樹脂によって除染液から除去されるが、処理系統の規模が大きくなると除染液量も増え、浄化に使用する混床イオン交換樹脂の量も増加する。
【００１６】
特許文献２では、この混床イオン交換樹脂の量の増加に対して、水や二酸化炭素に分解可能な除染剤と分解方法を提供することにより、放射性廃棄物となる混床樹脂の使用量を削減している。
【００１７】
しかしながら、これらの方法はいずれも、重水炉に使用した場合、軽水による重水の希釈という課題が存在する。ＥＤＴＡやクエン酸によって溶解した金属イオンは、カチオン交換樹脂によって除去されるが、その際、金属イオンの換わりにＨ＋がカチオン交換樹脂から循環水である重水の除染液中に放出される。一方、ＥＤＴＡやクエン酸は、混床樹脂のアニオン交換樹脂によって除去され、換わりにＯＨ−がアニオン交換樹脂から循環水である重水の除染液中に放出される。このため、循環水として用いている重水がＨ＋やＯＨ−の軽水成分によって希釈されることになる。また、除染対象部が広がると薬剤の量も増えるので、薬剤の除去に使用する混床樹脂の量も増大し、放射性廃棄物量を増やすことになる。
【００１８】
特許文献２では、還元除染剤にシュウ酸及びヒドラジンを使うことにより、混床樹脂による薬剤の除去ではなく、触媒による分解で水と二酸化炭素、窒素に分解し、放射性廃棄物の発生量低減を行っている。しかしながら、分解生成物の水は軽水であり、分解に使用する薬剤である過酸化水素も軽水を含むため、こちらの方法でも循環水として用いている重水が軽水成分によって希釈されることになる。
【００１９】
一方で、重水炉では、重水の純度が厳密に管理されており、規定値を下回った場合、不純物である軽水成分を除去する必要がある。このため、重水炉の化学除染において重水を使って化学除染を行う場合は、軽水の混入を避ける必要がある。
【００２０】
本発明の目的は、重水を用いる原子力発電プラントの化学除染において、重水への軽水の混入量を低減することにある。
【課題を解決するための手段】
【００２１】
本発明の化学除染方法は、重水を用いる原子力発電プラントにおける化学除染をする際に用いる薬剤が、通常の化学構造としては水素原子を含む物質である場合に、薬剤の代わりに、薬剤に含まれる水素原子のうち少なくとも一部を重水素原子に置き換えた重水素系薬剤を用いる。
【００２２】
また、本発明の化学除染方法は、重水を用いる原子力発電プラントにおける化学除染をする際にイオン交換樹脂を用いる工程を含む方法であって、イオン交換樹脂に含まれる交換可能なイオン種は、重水素イオン又は重水酸化物イオンである。
【発明の効果】
【００２３】
本発明によれば、重水を用いる原子力発電プラントの化学除染において、重水への軽水の混入を抑制することができる。これにより、重水の純度の低下を抑制し、化学除染終了後に化学除染で使用した系統水としての重水から軽水を分離する浄化工程の負荷を低減することができる。
【図面の簡単な説明】
【００２４】
【図１】重水型原子力発電プラントの一次冷却系に本発明を適用する場合の一実施形態を示す全体系統構成図である。
【図２】図１の化学除染装置の詳細を示す構成図である。
【図３】実施例１の重水型原子力発電プラントの化学除染方法を示すフローチャートである。
【図４】実施例２の薬剤の合成手順を示すフロー図である。
【発明を実施するための形態】
【００２５】
本発明は、重水を用いる原子力発電プラント（原子力プラント）の構造部材の化学除染方法に関し、特に、重水の同位体純度の低下を抑制する化学除染方法に関する。
【００２６】
化学除染をする際に用いる薬剤は、通常の化学構造としては水素原子を含む物質である。
【００２７】
本発明は、化学除染で使用する薬剤やイオン交換樹脂を、重水を原料の一つとして用いて作製し、作製した重水素系薬剤を用いて化学除染を行うものである。特に、重水素系薬剤の製造は、重水炉等の原子炉を含む原子力発電プラントで使用している重水を用いるため、原子力発電プラント内でも行うことができ、通常は難しい重水の調達を容易に行うことが可能となり、重水素系薬剤を容易に得ることができる。これらの重水素系薬剤を原子力発電プラントにおける化学除染に用いることにより、化学除染における薬剤添加により重水が軽水で汚染されることを抑制することができる。
【００２８】
言い換えると、本発明は、通常の化学構造としては水素原子を含む薬剤の代わりに、薬剤に含まれる水素原子のうち少なくとも一部を重水素原子に置き換えた重水素系薬剤を用いる。これにより、原子力発電プラントで使用している重水に軽水が混入する量を低減することができる。
【００２９】
以下では、カナダ型重水炉を例として説明するが、本発明は、これに限定されるものではなく、重水を用いるすべての原子力プラントにおいて適用することができる。
【００３０】
カナダ型重水炉の一次冷却系の構成材料には、炭素鋼及びステンレス鋼が使用されている。使用条件下において、炭素鋼には鉄系の酸化皮膜が、ステンレス鋼には鉄系酸化皮膜の外層とクロム系酸化皮膜の内層とが形成される。
【００３１】
これらの酸化皮膜内には、放射性核種が取り込まれている。このため、化学除染では、薬剤を用いてこれらの酸化皮膜を溶解し、取り込まれている放射性核種を除去する。その際に使用する薬剤に水素イオン（Ｈ＋）や水酸化物イオン（ＯＨ−）、結晶水（Ｈ２Ｏ）が含まれていると、除染で使用する循環水の重水に軽水が混入することになる。このため、薬剤としては、水素（１Ｈ）を重水素（Ｄすなわち（２Ｈ））に置換したものを用いる。
【００３２】
具体的には、例えば還元除染剤としてシュウ酸及びヒドラジンを含む水溶液を用いる場合は、シュウ酸として（ＣＯＯＤ）２・２Ｄ２Ｏを、ヒドラジンとしてＮ２Ｄ４・Ｄ２ＯのＤ２Ｏ希釈溶液を用いる。また、酸化除染剤としてはＤＭｎＯ４のＤ２Ｏ希釈溶液を、カチオン交換樹脂（陽イオン交換樹脂）としてはＤ型カチオン交換樹脂を、アニオン交換樹脂（陰イオン交換樹脂）としてはＯＤ型アニオン交換樹脂を用いる。また、還元除染剤の分解には過酸化水素を用いるが、この過酸化水素もＤ２Ｏ２をＤ２Ｏで希釈したものを使用する。これにより、化学除染による薬剤の添加で軽水が持ち込まれることがなくなるので、化学除染終了後に系統水として使用した重水について、軽水の分離除去工程が不要になる。
【００３３】
これらの重水素系薬剤については、化学除染で使用する量を市場で確保するのは難しい。そこで、重水炉で使用している重水を使ってこれらの薬剤を合成する方法について検討した。
【００３４】
重水炉で使用している重水は、炉心で中性子照射を受けて一部が核反応を起こしてトリチウムとなるため、放射性核種であるトリチウム水を含んでいる。このため、重水炉から搬出することが難しい場合がある。そのため、薬剤の合成はプラント内で行う。プラント内では複雑な反応装置を用いることができないため、反応段数の少ない反応が望ましい。例えば、シュウ酸（ＣＯＯＤ）２の合成には、シュウ酸カルシウムＣａ（ＣＯＯ）２を原料に、重水素製の硫酸Ｄ２ＳＯ４に溶解させ、沈殿するＣａＳＯ４と分離して、（ＣＯＯＤ）２の水溶液を得る。この反応は、次の化学反応式により表される。
【００３５】
Ｃａ（ＣＯＯ）２  ＋  Ｄ２ＳＯ４  →  （ＣＯＯＤ）２  ＋  ＣａＳＯ４↓
Ｄ２ＳＯ４は、ＳＯ２ガスを原料に酸素で酸化してＳＯ３ガスを生成させ、これを重水に吹き込むことで作製する。この反応は、次の化学反応式により表される。
【００３６】
２ＳＯ２  ＋  Ｏ２  →  ２ＳＯ３
ＳＯ３  ＋  Ｄ２Ｏ  →  Ｄ２ＳＯ４
こうして得られた重水素製の硫酸Ｄ２ＳＯ４をＮａ型カチオン交換樹脂に用いてＤ型カチオン交換樹脂を得る。この反応は、次の化学反応式により表される。
【００３７】
Ｎａ型カチオン樹脂  ＋  Ｄ２ＳＯ４  →  Ｄ型カチオン交換樹脂  ＋  Ｎａ２ＳＯ４
こうして得られたＤ型カチオン交換樹脂に過マンガン酸カリウムを重水に溶解した水溶液を通水してＤ型の過マンガン酸を得る。この反応は、次の化学反応式により表される。
【００３８】
ＫＭｎＯ４  ＋  Ｄ型カチオン交換樹脂  →  ＤＭｎＯ４  ＋  Ｋ型カチオン交換樹脂
過酸化水素については、ペルオキソ二硫酸ナトリウムを重水に溶解し、加水分解を経て重水素製の過酸化水素を得る。この反応は、次の化学反応式により表される。
【００３９】
Ｎａ２Ｓ２Ｏ８  ＋  ２Ｄ２Ｏ  →  ２ＮａＤＳＯ４  ＋  Ｄ２Ｏ２
生成物はＮａＤＳＯ４を含む水溶液であることから、Ｄ２Ｏ２を得るために蒸留を行う。
【００４０】
ＯＤ型アニオン交換樹脂については、まずＮａＯＤを合成する。酸化カルシウムＣａＯを重水に溶解させ重水素型の水酸化カルシウム（重水酸化カルシウム）を生成させ、その後、硫酸ナトリウムを加えると、硫酸カルシウムが沈殿し、重水素型の水酸化ナトリウム（重水酸化ナトリウム）の重水水溶液を得る。この反応は、次の化学反応式により表される。なお、「重水水溶液」とは、重水（Ｄ２Ｏ）を溶媒とする溶液をいい、「重水溶液」とも呼ばれるものである。
【００４１】
ＣａＯ  ＋  Ｄ２Ｏ  →  Ｃａ（ＯＤ）２
Ｃａ（ＯＤ）２  ＋  ＮａＳＯ４  →  ＮａＯＤ  ＋  ＣａＳＯ４↓
こうして得られた重水素型の水酸化ナトリウムの水溶液をＣｌ型アニオン交換樹脂に通水することで、ＯＤ型アニオン交換樹脂を得る。この反応は、次の化学反応式により表される。
【００４２】
Ｃｌ型アニオン樹脂  ＋  ＮａＯＤ  →  ＯＤ型アニオン樹脂  ＋  ＮａＣｌ
このようにして合成した重水素型の薬剤を用いて化学除染を行えば、系統水である重水に軽水が混入することを抑制できる。
【００４３】
以上の検討結果を反映した本発明の実施例について、以下に説明する。
【実施例１】
【００４４】
カナダ型原子炉の一次冷却系構造部材の化学除染方法の実施例について説明する。
【００４５】
図１は、本実施例のカナダ型原子炉の概略構成を示したものである。
【００４６】
本図において、カナダ型原子炉１００（カナダ型重水炉）は、燃料集合体１０１、制御棒、圧力管１０２、カランドリアタンク１０９、加圧器１０３、一次冷却系、一次冷却材の再循環ポンプ１０４、蒸気発生器１０５、タービン１０６、復水器１０７、給水ポンプ１０８、給水系等を備えている。なお、一次冷却材は、重水である。
【００４７】
燃料集合体１０１を構成する核燃料棒内には、核分裂性のＵ−２３５などを含む核燃料が装荷されている。核燃料は、熱中性子と原子核反応を起こして核分裂を生じる。
【００４８】
一次冷却材（重水）は、加圧器１０３によって加圧され、核燃料棒の外側で圧力管１０２の内部を流れている。一次冷却材は、原子核反応の際の反応熱によって加熱される。加熱された一次冷却材は、一次冷却系配管１１０に設置された再循環ポンプ１０４の駆動によって、蒸気発生器１０５に送水され、蒸気発生器１０５内の細管を流れる。細管の外側には、二次冷却水が流れている。二次冷却水は、一次冷却材と熱交換を行うことにより沸騰し、蒸気を発生する。
【００４９】
発生した蒸気は、タービン１０６へ導かれ、タービン１０６を駆動して発電機を駆動し、発電を行う。タービン１０６を駆動した蒸気は、復水器１０７で水に戻され、給水ポンプ１０８によって蒸気発生器１０５へ送水される。一方、蒸気発生器１０５の細管内を流れた一次冷却材は、二次冷却水に熱を与えることにより冷却され、温度が下がった一次冷却材は、再循環ポンプ１０４の駆動により、再び圧力管１０２へ送水される。
【００５０】
核燃料の核分裂においては、反応熱が発生すると共に、中性子が放出される。放出された中性子は、一次冷却材の重水とカランドリアタンク１０９内の減速材である重水とによって熱中性子に減速される。この熱中性子が核燃料中のＵ−２３５等と核反応を起こす際、Ｕ−２３５が核分裂を起こし、再び反応熱と中性子を放出するため、核分裂反応が持続する。
【００５１】
なお、一次冷却系配管１１０には、弁１１１が設置されている。弁１１１は、化学除染装置１を接続可能な構成を有している。
【００５２】
図２は、図１の化学除染装置の詳細を示す構成図である。
【００５３】
図２に示すように、化学除染装置１は、循環配管２と、ｐＨ調整剤注入装置１２と、過酸化水素注入装置７と、サージタンク１７と、循環ポンプ２０、２６と、フィルタ２１と、分解装置２５と、陽イオン交換樹脂塔２３と、混床樹脂塔２４と、ホッパ５と、を備えている。サージタンク１７の内部には、加熱器１９が設置されている。
【００５４】
循環配管２には、開閉弁２７、循環ポンプ２０、弁２８、２９、３０、３１、サージタンク１７、循環ポンプ２６、弁３２及び開閉弁３３が、上流よりこの順に設けられている。
【００５５】
弁２８をバイパスして循環配管２に接続されている配管３４には、弁３５及びフィルタ２１が設置されている。弁２９をバイパスして循環配管２に接続されている配管３６には、冷却器２２及び弁３７が設置されている。
【００５６】
また、両端が循環配管２に接続されて弁３０をバイパスする配管３８には、陽イオン交換樹脂塔２３及び弁４０が設置されている。両端が配管３８に接続されて陽イオン交換樹脂塔２３及び弁４０をバイパスする配管３９には、混床樹脂塔２４及び弁４１が設置されている。陽イオン交換樹脂塔２３は、その内部に、重水素イオンで置換されたＤ型陽イオン交換樹脂を充填した樹脂層を有している。言い換えると、Ｄ型陽イオン交換樹脂に含まれる交換可能なイオン種は、重水素イオンである。
【００５７】
混床樹脂塔２４は、その内部に、Ｄ型陽イオン交換樹脂と、重水素及び酸素を含む水酸化物イオン（重水酸化物イオン）で置換されたＯＤ型陰イオン交換樹脂と、を充填した樹脂層を有している。言い換えると、ＯＤ型陰イオン交換樹脂に含まれる交換可能なイオン種は、重水酸化物イオンである。
【００５８】
弁３１をバイパスして循環配管２に接続されている配管４２には、弁４３及び分解装置２５が設置されている。分解装置２５の内部には、例えば、ルテニウムを活性炭の表面に添着した活性炭触媒が充填されている。弁３１と循環ポンプ２６との間の循環配管２には、サージタンク１７が設置されている。
【００５９】
ｐＨ調整剤注入装置１２は、薬液タンク１３、注入ポンプ１４及び注入配管１６を有する。注入配管１６には、注入ポンプ１４及び弁１５が設けられている。薬液タンク１３は、注入配管１６によって循環配管２に接続されている。薬液タンク１３には、ｐＨ調整剤であるヒドラジンが貯留されている。このヒドラジンは、水素原子を重水素原子に置換したＮ２Ｄ４であり、このＮ２Ｄ４が重水に溶解している。注入配管１６と循環配管２との接続点と、開閉弁３３との間の循環配管２には、ｐＨ計８３が設置されている。
【００６０】
過酸化水素注入装置７は、薬液タンク８、注入ポンプ９及び注入配管４４を有する。注入配管４４には、注入ポンプ９及び弁４５が設けられている。薬液タンク８は、注入配管４４によって、分解装置２５の上流の配管４２に接続されている。薬液タンク８には、水素原子を重水素原子に置換した過酸化水素であるＤ２Ｏ２を重水に溶解した溶液が貯留されている。
【００６１】
サージタンク１７の上端部には、配管７５が接続されている。配管７５は、循環ポンプ２６と弁３２との間で循環配管２に接続されている。配管７５には、弁３及びエゼクタ４が設置されている。エゼクタ４には、ホッパ５が接続されている。ホッパ５内には、重水素で置換した過マンガン酸の重水水溶液（ＤＭｎＯ４酸化除染剤）、又は重水素で置換したシュウ酸（（ＣＯＯＤ）２・２Ｄ２Ｏ）の重水水溶液が投入されるようになっている。
【００６２】
た配管４７の両端部が、ｐＨ計８３と開閉弁３３との間、及び開閉弁２７と循環ポンプ２０との間の循環配管２には、配管４７が接続されている。配管４７には、弁４６が設けられている。
【００６３】
化学除染に使用する薬剤としては、廃棄物の量を低減するため、水及び二酸化炭素に分解できる有機酸、または無害な気体として放出可能で廃棄物を増やさないヒドラジンを用いている。分解装置２５は、有機酸の一種であるシュウ酸、及びｐＨ調整剤のヒドラジンを分解できるようになっている。
【００６４】
化学除染対象物である一次冷却系配管１１０の外側には、放射線検出器７６が配置されている。放射線検出器７６は、一次冷却系配管１１０から放出される放射線を検出し、放射線検出信号を出力する。
【００６５】
原子力発電プラントは、１つの運転サイクルの運転が終了した後に停止される。この運転停止後に、原子力発電プラントに対して定期検査が実施される。この定期検査が終了した後、原子力発電プラントが再度起動される。原子力発電プラントの運転停止後で定期検査での各機器の点検を実施する前に、原子力発電プラントの配管等に対する化学除染が実施される。
【００６６】
図３は、重水型原子力発電プラントの化学除染方法を示すフローチャートである。
【００６７】
本図に示す手順により実施される、実施例１のカナダ型原子力プラントの一次冷却系の化学除染方法を、以下に具体的に説明する。
【００６８】
１つの運転サイクルを終了したカナダ型原子力プラントにおいては、一次冷却系内の一次冷却材が流れる構造部材の接水面に、放射性核種を含む酸化皮膜が形成されている。この酸化皮膜は、化学除染により除去される。本実施例の化学除染方法は、カナダ型原子力発電プラントの一次冷却系の構造部材を対象に行うものであり、例えば一次冷却系配管１１０の内面から酸化皮膜を除去する処理である。化学除染では、図２に示す化学除染装置１が用いられる。
【００６９】
図３に示すように、初めに、運転が停止されたカナダ型原子力プラントの一次冷却系配管１１０に化学除染装置を接続する（ステップＳ１）。一次冷却系配管１１０は、化学除染対象物である。仮設設備である化学除染装置１の循環配管２の両端が、一次冷却系配管１１０に接続される。
【００７０】
つぎに、この循環配管２を一次冷却系配管１１０に接続する作業を具体的に説明する。
【００７１】
カナダ型原子力プラントの運転停止後に、例えば、一次冷却系配管１１０に設置されている弁１１１のボンネットを開放して、化学除染装置１の循環配管２の一端を弁１１１内の入口側配管に接続する。続いて、化学除染装置１の循環配管２の他端を弁１１１内の出口側配管に接続する。これにより、仮設の化学除染装置１と一次冷却系を循環するループが形成される。
【００７２】
化学除染装置１が一次冷却系配管１１０に接続された後、循環配管２、サージタンク１７及び一次冷却系に水を充填する。この水としては、運転中に一次冷却材として使用している重水を用いる。この水は、例えば、サージタンク１７から注入する。
【００７３】
循環水の温度を調節する（ステップＳ２）。まず、開閉弁２７、３３を閉じた状態で、弁２８、２９、３０、３１、３２、４６を開き、他の弁を閉じた状態で、循環ポンプ２０、２６を起動して、サージタンク１７内の水を循環配管２内で循環させる。つづいて、開閉弁２７、３３以外の弁の開閉を操作して、循環配管２につながる各配管のエア抜きを行う。エア抜き終了後、弁２８、２９、３０、３１、３２、４６以外の弁は閉じ、開閉弁２７、３３を開き、他の弁を閉じた状態で、循環ポンプ２０、２６の運転を継続する。そして、弁４６を閉じ、サージタンク１７内の重水を循環配管２及び一次冷却系配管１１０内で循環させる。そして、サージタンク１７内に設置された加熱器１９によって、循環配管２及び一次冷却系配管１１０内を循環する循環水を加熱し、循環水の温度を約９０℃に調節する。
【００７４】
配管系の酸化除染を実施する（ステップＳ３）。弁３を開くことにより、ホッパ５内に投入されたＤＭｎＯ４酸化除染剤がエゼクタ４を通して配管７５内に供給される。さらに、ＤＭｎＯ４酸化除染剤は、配管７５内を流れる水によりサージタンク１７内に導かれる。ＤＭｎＯ４酸化除染剤は、サージタンク１７内で約９０℃の重水に混合し、酸化除染液（ＤＭｎＯ４重水溶液）となる。この酸化除染液は、循環ポンプ２６で昇圧され、サージタンク１７から循環配管２を経て一次冷却系配管１１０内に供給される。酸化除染液は、一次冷却系配管１１０を通して、再循環ポンプ１０４及び蒸気発生器１０５の冷却材接水部に形成されている酸化皮膜などの汚染物（放射性核種を含む。）を酸化して溶解する（酸化除染工程）。
【００７５】
シュウ酸を添加する（ステップＳ４）。酸化除染が終了した後、ホッパ５内には、重水素で置換したシュウ酸（（ＣＯＯＤ）２・２Ｄ２Ｏ）の重水水溶液が投入される。そして、エゼクタ４から配管７５内を流れる酸化除染液に供給され、サージタンク１７内に導かれる。このシュウ酸により、酸化除染液に含まれている過マンガン酸が分解される（酸化除染剤分解工程）。
【００７６】
重水素型のシュウ酸を使うことで、分解生成物として重水が生成され、軽水は生じない。この反応は、次の化学反応式により表される。
【００７７】
２ＭｎＯ４−  ＋  ６Ｄ＋  ＋  （ＣＯＯＤ）２
→  ２Ｍｎ２＋  ＋  ８Ｄ２Ｏ  ＋  １０ＣＯ２
酸化除染剤分解工程の終了後に、酸化除染を行った一次冷却系配管１１０の接水部表面に対する還元除染が実施される。本実施例の化学除染方法における還元除染を以下に詳細に説明する。なお、還元除染液を生成するためのシュウ酸の添加（ステップＳ４）と、ステップＳ５、Ｓ６とは、還元除染工程に含まれる。
【００７８】
ステップＳ４において、ホッパ５内の重水素で置換したシュウ酸（（ＣＯＯＤ）２・２Ｄ２Ｏ）の配管７５内への供給を継続すると、やがて過マンガン酸の赤色が消失し、シュウ酸水溶液（還元除染液）となる。
【００７９】
その後、ｐＨ調整剤であるヒドラジンを注入する（Ｓ５）。循環配管２を流れている９０℃のシュウ酸水溶液に、ｐＨ調整剤である重水素で置換したヒドラジン（Ｎ２Ｄ４）の重水水溶液が、ｐＨ調整剤注入装置１２により注入される。具体的には、弁１５を開き、注入ポンプ１４を駆動する。この結果、薬液タンク１３内のヒドラジンが注入配管１６を通って循環配管２内に注入される。
【００８０】
ヒドラジンの注入により、９０℃のシュウ酸水溶液のｐＨが２から３までの範囲内、例えば、２．５に調節される。シュウ酸水溶液のｐＨを２から３までの範囲内に調節することによって、一次冷却系配管１１０に含まれる炭素鋼製の配管の過度の溶解が抑制される。ヒドラジンの循環配管２への注入量は、ｐＨ計８３で測定された循環配管２内を流れるシュウ酸水溶液のｐＨ測定値に基づいて、このｐＨ測定値が例えば２．５になるように、注入ポンプ１４の回転速度（または弁１５の開度）を制御することにより調節される。
【００８１】
循環ポンプ２０、２６が駆動されているため、９０℃でｐＨが２．５のシュウ酸ヒドラジン水溶液が、化学除染対象物である一次冷却系配管１１０内に供給される。シュウ酸ヒドラジン水溶液のシュウ酸濃度は２０００ｐｐｍである。このシュウ酸ヒドラジン水溶液が一次冷却系配管１１０の接水面に接触すると、一次冷却系配管１１０の接水面に付着している酸化皮膜に含まれる放射性核種を含む腐食生成物がシュウ酸によって溶解される。
【００８２】
その後、陽イオン交換樹脂塔への通水を行う。酸化除染剤分解工程が終了した後、弁４０を開いて弁３０の開度を調節する。これにより、一次冷却系配管１１０から循環配管２に排出されて戻されたシュウ酸ヒドラジン水溶液の一部が、重水素イオンで置換したＤ型陽イオン交換樹脂を含む陽イオン交換樹脂塔２３に供給され、陽イオン交換樹脂塔２３内のＤ型陽イオン交換樹脂と接触する。一次冷却系の還元除染によりシュウ酸ヒドラジン水溶液に溶出した放射性核種（例えば、Ｃｏ−６０）及びＦｅ２＋等の金属陽イオンは、陽イオン交換樹脂塔２３内のＤ型陽イオン交換樹脂に吸着されて除去され、換わりにＤ＋イオンが除染溶液中に放出される。
【００８３】
陽イオン交換樹脂塔２３で金属陽イオンが除去されたシュウ酸ヒドラジン水溶液は、弁３０を通過したシュウ酸ヒドラジン水溶液と混合され、サージタンク１７内に導かれる。
【００８４】
９０℃でｐＨ２．５のシュウ酸ヒドラジン水溶液は、一次冷却系配管１１０及び循環配管２で形成される閉ループ内を循環しながら一次冷却系配管１１０の接水面の還元除染に供される。還元除染が実施されている間、シュウ酸ヒドラジン水溶液の一部が陽イオン交換樹脂塔２３に導かれ、シュウ酸ヒドラジン水溶液に含まれる金属陽イオンが陽イオン交換樹脂塔２３で除去される。
【００８５】
化学除染対象物である一次冷却系配管１１０の外側に配置された放射線検出器７６が、化学除染対象物である一次冷却系配管１１０から放出される放射線を検出し、放射線検出信号を出力する。この放射線検出信号に基づいて一次冷却系配管１１０の線量率を求める（ステップＳ６）。
【００８６】
放射性核種の除去によって線量率の低下傾向が継続する間は、還元除染を継続する。低下傾向が収まったところで、次のステップである線量率目標判定と除染とを繰り返す工程管理に移行する（ステップＳ７）。低下傾向の終了は、例えば線量率の低下速度が前の１ｈ（１時間）に比べて１／１０以下になった時点とする。線量率の低下速度が前の１ｈの低下速度に比べて１／１０になったところで、線量が目標まで下がっておらず、なお且つ化学除染の繰り返し回数が設定値以下の場合は、ステップＳ３に戻り、酸化除染から繰り返す。繰り返し後のステップＳ７の線量測定で目標線量以下になっている場合、又は化学除染の繰り返し回数が設定値に到達した場合は、次の還元除染剤分解工程（ステップＳ８）に移行する。
【００８７】
還元除染剤分解工程（ステップＳ８）では、弁４０を開き、弁３０を閉じ、還元除染液を陽イオン交換樹脂塔２３に通水する。陽イオン交換樹脂塔２３を出た循環水は、分解装置２５へ導かれる。弁４５を開き、注入ポンプ９を起動し、薬液タンク８から重水素で置換された過酸化水素（Ｄ２Ｏ２）の重水溶液を分解装置２５の直前（上流側）で循環水に注入する。分解装置２５では、循環水に残っているシュウ酸及びヒドラジンが過酸化水素と反応し、分解される。この反応は、次の化学反応式により表される。
【００８８】
（ＣＯＯＤ）２  ＋  Ｄ２Ｏ２  →  ２ＣＯ２  ＋  ２Ｄ２Ｏ
Ｎ２Ｄ４  ＋  ２Ｄ２Ｏ２  →  Ｎ２  ＋  ４Ｄ２Ｏ
この反応は、分解装置２５に充填した触媒の作用により促進される。
【００８９】
分解生成物であるＣＯ２及びＮ２は、気相へ抜けるため、放射性廃棄物にはならない。また、Ｄ２Ｏは、循環水と同じ成分であり、軽水を含まないので、カナダ型原子炉の冷却材として使用できる。ヒドラジンは、シュウ酸よりも早く分解される。シュウ酸濃度が１０ｐｐｍに低下したとき、シュウ酸の分解が終了する。シュウ酸の分解が終了した後、注入ポンプ９を停止し、弁４５を閉じて、薬液タンク８から分解装置２５への過酸化水素の供給を停止する。さらに、弁３１を全開にし、弁４３を閉じる。
【００９０】
浄化を実施する（ステップＳ９）。シュウ酸及びヒドラジンの分解後、加熱器１９への通電を停止し、加熱器１９による循環水の加熱を停止する。そして、弁３５、３７、４１を開き、弁２８、２９、３０を閉じる。循環配管２から循環ポンプ２０に流入した循環水は、配管３４を通ってフィルタ２１に供給される。フィルタ２１で循環水に含まれる微細な固形物が除去される。
【００９１】
フィルタ２１から排出された循環水は、冷却器２２で冷却され、循環水の温度が、例えば、６０℃まで低下する。６０℃になった循環水は、混床樹脂塔２４に供給される。混床樹脂塔２４には、Ｄ型のカチオン交換樹脂及びＯＤ型のアニオン交換樹脂が充填されている。混床樹脂塔２４は、循環水に含まれる不純物（陰イオン等）、及び残っているシュウ酸を除去する。混床樹脂塔２４から排出された水溶液は、導電率が低下する。この水溶液のシュウ酸濃度及びヒドラジン濃度を分析し、それぞれの濃度が所定値より下がったことを確認した後、循環ポンプ２０、２６を停止する。これにより、浄化工程が終了する。
【００９２】
浄化工程終了後に一次冷却系配管１１０を含む除染系統内に残留する重水は、カナダ型原子力発電プラントの一次冷却水として再使用する。化学除染装置１を一次冷却系から取り外すため、弁１１１回りの一次冷却材を移送した後、化学除染装置１の循環配管２を取り外す。その後、弁１１１を復旧する。一方、化学除染装置１に残留している循環水は、一次冷却材の補給水として使用するため、プラントの重水タンクへ移送する。これにより、本実施例における一次冷却系の化学除染が終了する。そして、定期検査終了後にカナダ型原子力発電プラントが起動される。
【００９３】
本発明によれば、カナダ型原子力発電プラントの化学除染に使用する薬剤について、水素原子を重水素原子に置き換えた薬剤を用いるため、一次冷却材の重水純度の低下を抑制できる。このため、除染の循環水として使用した重水は、薬剤成分を浄化した後、重水成分の濃縮（軽水成分の除去）をすることなしに、原子力プラント運転に際しての一次冷却材として使用できる。
【実施例２】
【００９４】
カナダ型原子力プラントの一次冷却系の化学除染において、水素原子を重水素原子に置換した薬剤を、カナダ型原子力発電プラントで使用している重水を用いて合成する実施例について説明する。
【００９５】
化学除染で使用する薬剤の量は、通常、数十キログラムから数百キログラムに及ぶため、重水素製の化学除染剤を合成するには、同規模の重水が必要になる。しかしながら、この規模の重水の入手は、通常は困難である。
【００９６】
重水型原子炉であるカナダ型原子力発電プラントでは、重水を減速材及び冷却材として使用しているため、重水の入手は容易である。そこで、この重水を用いて化学除染に使用する薬剤を合成すればよい。ただし、重水炉で使用した重水は、中性子の照射を受けているため、トリチウムが含まれている。このため、プラント外へ持ち出すことが困難な場合がある。
【００９７】
そこで、化学除染で使用する薬剤の合成を原子力発電プラント内で行うことを検討した。合成する薬剤としては、シュウ酸、過マンガン酸及び過酸化水素を選定した。また、イオン交換樹脂についても、重水素型のＤ型カチオン交換樹脂、及び重水素原子に置換した水酸化物イオン型のＯＤ型アニオン交換樹脂をプラント内で作製する。
【００９８】
図４は、重水炉プラントの重水を用いる薬剤の合成手順を示すフロー図である。
【００９９】
薬剤の合成を原子力発電プラント内で行うため、反応はできるだけ単純で複雑な装置を要しないものが望ましい。そこで、Ｄ型カチオン交換樹脂を造るために使う無機酸として硫酸Ｄ２ＳＯ４を選び、Ｄ型カチオン交換樹脂を使って過マンガン酸ＤＭｎＯ４を作り、Ｄ２ＳＯ４を使ってシュウ酸（ＣＯＯＤ）２を合成する手順とした。ＯＤ型アニオン交換樹脂については、酸化カルシウムＣａＯとＤ２Ｏから重水素型の水酸化カルシウムＣａ（ＯＤ）２水溶液を得て、この水溶液に硫酸ナトリウムを溶解させてＮａＯＤの水溶液を得て、このＮａＯＤ水溶液をＣｌ型アニオン交換樹脂に通水してＯＤ型アニオン交換樹脂を得る。過酸化水素については、ペルオキソ二硫酸カリウムＫ２Ｓ２Ｏ８を重水に溶解してＤ２Ｏ２を得る手順とした。
【０１００】
薬剤準備について、更に具体的な手順を述べる。
【０１０１】
硫酸Ｄ２ＳＯ４については、二酸化硫黄ガスＳＯ２と酸素を原料として準備し、触媒を充填した接触塔に流通させることで三酸化イオウとし、これを重水に吹き込むことで、硫酸Ｄ２ＳＯ４を得る。
【０１０２】
シュウ酸（ＣＯＯＤ）２については、無水のシュウ酸カルシウムＣａ（ＣＯＯ）２と、合成したＤ２ＳＯ４とを原料とする。Ｃａ（ＣＯＯ）２を重水に溶解した水溶液にＤ２ＳＯ４を添加する。ＣａＳＯ４が沈殿するので、溶液を分離すると、（ＣＯＯＤ）２の重水水溶液を得ることができる。この（ＣＯＯＤ）２重水水溶液を還元除染剤として使用する。
【０１０３】
過マンガン酸ＤＭｎＯ４については、Ｎａ型カチオン交換樹脂にＤ２ＳＯ４重水水溶液を通水してＤ型カチオン交換樹脂を準備する。続いて、このＤ型カチオン交換樹脂に過マンガン酸カリウムの重水水溶液を通水することで、ＤＭｎＯ４の重水水溶液を得ることができる。これを酸化除染材として使用する。なお、Ｄ型カチオン交換樹脂については、この工程で準備しておき、化学除染装置１の陽イオン交換樹脂塔２３及び混床樹脂塔２４のカチオン交換樹脂として使用する。
【０１０４】
ＯＤ型アニオン交換樹脂については、はじめに、酸化カルシウムＣａＯを重水に溶解させて、水酸化カルシウムＣａ（ＯＤ）２の重水水溶液を得る。水溶液を分離した後、この水溶液に硫酸ナトリウムを溶解させると、硫酸カルシウムが沈殿し、水酸化ナトリウムＮａＯＤの重水水溶液を得る。この水酸化ナトリウムＮａＯＤ重水水溶液をＣｌ型アニオン交換樹脂に通水することで、ＯＤ型アニオン交換樹脂を得る。このＯＤ型アニオン交換樹脂を混床樹脂塔２４に充填する。
【０１０５】
過酸化水素については、ペルオキソ二硫酸カリウムを重水に溶解させる。すると、過酸化水素Ｄ２Ｏ２と硫酸カリウムＫ２ＳＯ４の混合重水水溶液が得られる。そこから過酸化水素を分離するため、この混合溶液を原料として蒸留を行うと、Ｄ２Ｏ２の重水水溶液を分離できる。これを化学除染の還元除染剤分解工程の薬剤として使用する。
【０１０６】
ヒドラジンについては、Ｎ２Ｄ４の合成反応が複雑であるため、原子力発電プラント内でこの合成反応を行うのは難しい。そこで、ヒドラジンに起因する軽水持込量を低減する方法として、ヒドラジンに付随する抱水を除去する方法を考えた。
【０１０７】
入手が容易なヒドラジンの形態は、Ｎ２Ｈ４・Ｈ２Ｏの水溶液である。これは、付随するＨ２Ｏを取り除くと反応性が激しくなり、取り扱いが厳しくなる。このため、抱水ヒドラジンとして取り扱う方が容易であることによる。このＮ２Ｈ４・Ｈ２Ｏの水溶液から軽水成分を取り除く方法を検討した。
【０１０８】
Ｎ２Ｈ４・Ｈ２Ｏの水溶液をカチオン交換樹脂に通水すると、カチオン樹脂のカチオン吸着部分にＮ２Ｈ５＋を吸着した樹脂が得られる。これにＤ２ＳＯ４の重水水溶液を通水すると、イオン交換によってＮ２Ｈ５＋及びＤ２ＳＯ４を含む重水水溶液が得られる。これを蒸留することで、Ｎ２Ｈ４・Ｄ２Ｏを得ることができる。
【０１０９】
このようにして準備した、水素原子を重水素原子に置換した薬剤を、実施例１の薬剤として使用することで、薬剤に起因する重水の軽水混入を低減できる。これにより、化学除染終了後の軽水分離のための重水浄化工程の負荷を低減できる。
【符号の説明】
【０１１０】
１：化学除染装置、２：循環配管、４：エゼクタ、５：ホッパ、８、１３：薬液タンク、９、１４：注入ポンプ、１６、４４：注入配管、７：過酸化水素注入装置、１２：ｐＨ調整剤注入装置、１７：サージタンク、１９：加熱器、２０、２６：循環ポンプ、２１：フィルタ、２２：冷却器、２３：陽イオン交換樹脂塔、２４：混床樹脂塔、２５：分解装置、７６：放射線検出器、１００：カナダ型原子炉、１０１：燃料集合体、１０２：圧力管、１０３：加圧器、１０４：再循環ポンプ、１０５：蒸気発生器、１０６：タービン、１０７：復水器、１０８：給水ポンプ、１０９：カランドリアタンク、１１０：一次冷却系配管、１１１：弁。
【図１】
2019002825.tif 000003
【図２】
2019002825.tif 000004
【図３】
2019002825.tif 000005
【図４】
2019002825.tif 000006